(57)【要約】【課題】省スペースで、低騒音化を図れ、またメンテナンス性に優れた送風機吸込口フィルタユニットを提供する。【解決手段】中空ボックス状の吸込ボックス１２と、この吸込ボックス１２の内部空間を上下に仕切ると共に上下ジグザグ状に設けられる複数のフィルタ板１３とを備える。吸込ボックス１２は、フィルタ板１３より下部空間が送風機５の吸込口１０に接続される一方、フィルタ板１３より上部空間に通気口３４が設けられる。この通気口３４は、ボイラ１を正面から見た状態で、吸込ボックス１２の左右側面および後面に設けられている。フィルタ板１３は、吸込ボックス１２の後方から着脱可能である。【選択図】図２
2014005956.tif 000002
【特許請求の範囲】
【請求項１】
中空ボックス状の吸込ボックスと、この吸込ボックスの内部空間を上下に仕切ると共に上下ジグザグ状に設けられる一または複数のフィルタ板とを備え、
前記吸込ボックスは、前記フィルタ板より下部空間が送風機の吸込口に接続される一方、前記フィルタ板より上部空間が上面以外の面で外部と連通し、
前記フィルタ板は、前記吸込ボックスに着脱可能に設けられる
ことを特徴とする送風機吸込口フィルタユニット。
【請求項２】
左右に多缶設置されるボイラ上部の送風機の吸込口に設けられ、
前記ボイラを正面から見た状態で、前記吸込ボックスは、上面が板材で塞がれると共に、前記フィルタ板より上部空間の左右側面および後面にのみ通気口が設けられており、
前記吸込ボックスの内面には、前記送風機の吸込口への接続口と、前記吸込ボックスの内外を連通させる前記通気口となる箇所を除いて、吸音材が設けられており、
前記吸込ボックスには、正面視縦断面において連続山形となるように、略矩形状の前記フィルタ板を後方から着脱可能に差し込まれて設けられる
ことを特徴とする請求項１に記載の送風機吸込口フィルタユニット。
【請求項３】
前記吸込ボックスには、後面上部に前記フィルタ板の装着穴が形成されると共に、この装着穴の上下両端部と対応した位置に、前後方向へ沿って断面略コ字形状の装着レールが設けられており、この上下の装着レール同士は、前記吸込ボックスの前面に設けられた断面略コ字形状の装着レールで接続されており、
前記装着穴から差し込まれた前記フィルタ板は、前記各装着レールに案内されて保持される
ことを特徴とする請求項２に記載の送風機吸込口フィルタユニット。
【請求項４】
前記通気口には網材が設けられている
ことを特徴とする請求項２または請求項３に記載の送風機吸込口フィルタユニット。
【発明の詳細な説明】
【技術分野】
【０００１】
本発明は、送風機の吸込口に設置されるフィルタユニットに関するものである。
【背景技術】
【０００２】
近年、パッケージボイラは、大容量化の反面、省スペースおよび低騒音化が望まれている。そこで、送風機の吸込口に設置されるフィルタユニットは、コンパクトでありながら必要なフィルタ面積を確保し、また送風機からの騒音を有効に防止できなければならない。また、フィルタの交換などのメンテナンスも容易でなければならない。
【発明の概要】
【発明が解決しようとする課題】
【０００３】
本発明が解決しようとする課題は、省スペースで、低騒音化を図れ、またメンテナンス性に優れた送風機吸込口フィルタユニットを提供することにある。
【課題を解決するための手段】
【０００４】
本発明は、前記課題を解決するためになされたもので、請求項１に記載の発明は、中空ボックス状の吸込ボックスと、この吸込ボックスの内部空間を上下に仕切ると共に上下ジグザグ状に設けられる一または複数のフィルタ板とを備え、前記吸込ボックスは、前記フィルタ板より下部空間が送風機の吸込口に接続される一方、前記フィルタ板より上部空間が上面以外の面で外部と連通し、前記フィルタ板は、前記吸込ボックスに着脱可能に設けられることを特徴とする送風機吸込口フィルタユニットである。
【０００５】
請求項１に記載の発明によれば、吸込ボックス内に上下ジグザグ状にフィルタ板が設けられるので、コンパクトでありながら必要なフィルタ面積を確保することができる。また、吸込ボックスは、少なくとも上面が閉じられているので、送風機の騒音を防止することができる。さらに、フィルタ板は、吸込ボックスに着脱可能に設けられるので、フィルタ交換も容易である。
【０００６】
請求項２に記載の発明は、左右に多缶設置されるボイラ上部の送風機の吸込口に設けられ、前記ボイラを正面から見た状態で、前記吸込ボックスは、上面が板材で塞がれると共に、前記フィルタ板より上部空間の左右側面および後面にのみ通気口が設けられており、前記吸込ボックスの内面には、前記送風機の吸込口への接続口と、前記吸込ボックスの内外を連通させる前記通気口となる箇所を除いて、吸音材が設けられており、前記吸込ボックスには、正面視縦断面において連続山形となるように、略矩形状の前記フィルタ板を後方から着脱可能に差し込まれて設けられることを特徴とする請求項１に記載の送風機吸込口フィルタユニットである。
【０００７】
請求項２に記載の発明によれば、ボイラを正面から見た状態で、吸込ボックスは、左右側面および後面にのみ開口すると共に、吸込ボックスの内面には吸音材が設けられるので、ボイラの正面側に送風機の音が漏れるのを防止することができる。また、左右に多缶設置されるボイラの場合、左右に他のボイラがあるため、特にボイラ上部のメンテナンス性が悪くなりがちであるが、フィルタ板を後方から着脱可能とすることで、メンテナンス性がよい。
【０００８】
請求項３に記載の発明は、前記吸込ボックスには、後面上部に前記フィルタ板の装着穴が形成されると共に、この装着穴の上下両端部と対応した位置に、前後方向へ沿って断面略コ字形状の装着レールが設けられており、この上下の装着レール同士は、前記吸込ボックスの前面に設けられた断面略コ字形状の装着レールで接続されており、前記装着穴から差し込まれた前記フィルタ板は、前記各装着レールに案内されて保持されることを特徴とする請求項２に記載の送風機吸込口フィルタユニットである。
【０００９】
請求項３に記載の発明によれば、吸込ボックス後面の装着穴から差し込まれたフィルタ板は、装着レールに案内されて保持されるので、フィルタ板の着脱と保持が容易で確実に行える。
【００１０】
さらに、請求項４に記載の発明は、前記通気口には網材が設けられていることを特徴とする請求項２または請求項３に記載の送風機吸込口フィルタユニットである。
【００１１】
請求項４に記載の発明によれば、通気口に網材を設けておくことで、吸込ボックス内への異物の混入を防止して、送風機吸込口フィルタユニットの保護を図ることができる。
【発明の効果】
【００１２】
本発明によれば、省スペースで、低騒音化を図れ、またメンテナンス性に優れた送風機吸込口フィルタユニットを実現することができる。
【図面の簡単な説明】
【００１３】
【図１】本発明の送風機吸込口フィルタユニットを有するボイラが左右に多缶設置された状態を示す概略平面図である。
【図２】本発明の送風機吸込口フィルタユニットの一実施例を示す概略斜視図であり、送風機に取り付けられた状態を示すと共に、一部の部品を分解して示している。
【図３】図２の送風機吸込口フィルタユニットの上部の縦断面図であり、後方から見た状態を示している。
【図４】図３におけるＩＶ−ＩＶ断面図である。
【図５】図３におけるＶ−Ｖ断面図である。
【発明を実施するための形態】
【００１４】
以下、本発明の具体的実施例を図面に基づいて詳細に説明する。ここでは、左右に多缶設置されるボイラ上部の送風機に適用される例について説明するが、本発明の送風機吸込口フィルタユニットは、単缶で用いられるボイラの送風機、ボイラの上部以外に設置される送風機、あるいはボイラ以外に用いられる送風機にも同様に適用可能である。
【００１５】
図１は、左右に多缶設置されたボイラ１の概略平面図である。この図に示すように、各ボイラ１は、略矩形の基台２上に、ボイラ本体としての缶体３、この缶体３にダクト４を介して燃焼用空気を供給する送風機５、前記缶体３から気水分離器を介して蒸気を導出する蒸気管６、前記缶体３からエコノマイザを介して排ガスを導出する煙道７などが設けられている。また、ボイラ１の前面には制御部８が配置されており、この制御部８は扉で開閉可能とされている。
【００１６】
送風機５は、ボイラ１の上部で且つ後部に設けられる。この際、送風機５は、そのモータ９を前方へ向けて配置される一方、吸込口１０を後方へ向けて配置される。そして、送風機５の吸込口１０には、本発明の送風機吸込口フィルタユニット１１が設けられる。
【００１７】
図２は、本発明の送風機吸込口フィルタユニット１１の一実施例を示す概略斜視図であり、送風機５に取り付けられた状態を示すと共に、一部の部品を分解して示している。また、図３は、本実施例の送風機吸込口フィルタユニット１１の上部の縦断面図であり、後方から見た状態を示している。さらに、図４は、図３におけるＩＶ−ＩＶ断面図、図５は、図３におけるＶ−Ｖ断面図である。
【００１８】
本実施例の送風機吸込口フィルタユニット１１は、中空ボックス状の吸込ボックス１２と、この吸込ボックス１２の内部空間を上下に仕切ると共に上下ジグザグ状に設けられる複数のフィルタ板１３とを備える。吸込ボックス１２は、フィルタ板１３より下部空間が送風機５の吸込口１０に接続される一方、フィルタ板１３より上部空間が上面以外の面で外部と連通される。
【００１９】
吸込ボックス１２は、略矩形状の中空ボックスから構成される。吸込ボックス１２の前壁（ボイラ１を正面から見た状態で手前側の面）１４の下部には、送風機５の吸込口１０への接続口１５としての丸穴が形成されている。吸込ボックス１２の接続口１５は、送風機５の吸込口１０と向かい合わされ、適宜の環状アダプター１６を介して気密に接続される（図４）。具体的には、送風機５には、吸込口１０の周囲に後方へ向けて取付ボルト１７が突出して設けられているので、その取付ボルト１７をアダプター１６や吸込ボックス１２の前壁１４に通して、吸込ボックス１２の内側からナット１８で締め付ければよい。このような接続作業やメンテナンスを実施するために、吸込ボックス１２の後壁１９の下部には略矩形状の点検口２０が設けられており、この点検口２０は点検蓋２１により開閉可能とされる。
【００２０】
吸込ボックス１２には、接続口１５や点検口２０よりも上部に、フィルタ板１３が設けられる。本実施例では、略矩形状の複数のフィルタ板１３が、吸込ボックス１２の後方から前方へ差し込まれて保持される。これにより、吸込ボックス１２には、正面視縦断面において連続山形となるように、各フィルタ板１３が配置される。具体的には、本実施例では、図３に示す背面視において、右側から同一形状の山形が二つ半、形成されるように、五枚のフィルタ板１３が設けられる。
【００２１】
図２に示すように、吸込ボックス１２の後壁１９には、フィルタ板１３を差し込むための細長い矩形状の装着穴２２が五つ形成されている。これらの装着穴２２は、フィルタ板１３を連続山形に配置するように、傾斜して形成されている。つまり、図２において、一番右側の装着穴２２は、上方へ行くに従って左側へ傾斜して形成されており、その上端部付近から、二番目の装着穴２２が、下方へ行くに従って左側へ傾斜して形成されており、その下端部付近から、三番目の装着穴２２が、上方へ行くに従って左側へ傾斜して形成されるというように、順次、上下ジグザグに形成されている。
【００２２】
各装着穴２２の上下両端部と対応した位置には、それぞれ後方へ向けて装着レール２３，２３が設けられている。各装着レール２３は、吸込ボックス１２の前壁１４と後壁１９とを架け渡すように、前後方向へ沿って設けられる。また、各装着レール２３は、断面略コ字形状材から形成され、その溝を各装着穴２２の長手方向内側へ向けて配置される。つまり、装着穴２２から後方へ差し込まれるフィルタ板１３の上下が装着レール２３，２３の溝にはまり込むように、吸込ボックス１２に装着レール２３が設けられる。
【００２３】
さらに、吸込ボックス１２の前壁１４には、上下の装着レール２３，２３同士を接続するように、断面略コ字形状の装着レール２４が設けられる。前壁１４の装着レール２４は、後壁１９の装着穴２２と前後に対面した位置に配置され、その溝は上下の装着レール２３，２３の溝と連続するよう後方へ向けて配置される。従って、装着穴２２から上下の装着レール２３，２３に案内されて差し込まれたフィルタ板１３は、その前端部が前壁１４の装着レール２４の溝にはまり込んで保持される。
【００２４】
複数のフィルタ板１３は、図３に示すように連続山形に配置されるが、その頂部または谷部などにおいて、フィルタ板１３，１３間の隙間に空気が通らないように、隣接する装着レール２３，２３間は前後方向へ細長い板材２５で連結され、隙間が閉塞される。同様に、図３において、一番右側のフィルタ板１３の下端部を保持する装着レール２３と吸込ボックス１２の側壁２６との間、および、一番左側のフィルタ板１３の上端部を保持する装着レール２３と吸込ボックス１２の側壁２７との間も、それぞれ前後方向へ細長く延出する板材２５で連結され、隙間が閉塞される。
【００２５】
フィルタ板１３は、略矩形状の枠部２８と、その枠部２８内に張られるフィルタ２９とを備える。なお、枠部２８内は、適宜の補強材３０で仕切られている。
【００２６】
このようなフィルタ板１３は、吸込ボックス１２の後方から装着穴２２を介して、前方へ向けて差し込まれる。その際、フィルタ板１３は、上端部が上方の装着レール２３に保持され、下端部が下方の装着レール２３に保持される。また、フィルタ板１３を十分に前方へ差し込むと、フィルタ板１３の前端部が前方の装着レール２４に保持される。このようにして、フィルタ板１３は、上下および前端部が各装着レール２３，２３，２４に保持される一方、後端部が装着穴２２に保持される。この状態（つまりフィルタ板１３の前端部が前壁１４の装着レール２４の溝にはまり込んだ状態）で、フィルタ板１３の後端部は、吸込ボックス１２の後壁１９から僅かに後方へ突出するので、吸込ボックス１２からのフィルタ板１３の抜き外しは容易である。
【００２７】
各装着穴２２からフィルタ板１３を吸込ボックス１２に差し込んで保持した後、図２に示すように、吸込ボックス１２の各装着穴２２およびフィルタ板１３の後端部を覆うように、板状のスポンジ状パッキン３１を介して蓋材３２が着脱可能に設けられる。
【００２８】
このようにして、吸込ボックス１２はフィルタ板１３により上下に仕切られるが、フィルタ板１３よりも上部空間（本実施例では上側の装着レール２３よりも上部）は、上面以外の面で開口される。つまり、吸込ボックス１２は、上面が上板３３で閉じられる一方、本実施例では、後方および左右の側面が開口された通気口３４とされる。本実施例では、通気口３４には、網材が張られている。これにより、ボルトなどの異物が吸込ボックス１２内に誤って入り込むことがなく、送風機吸込口フィルタユニット１１の故障を防止することができる。
【００２９】
吸込ボックス１２の内面には、送風機５の吸込口１０への接続口１５と、吸込ボックス１２の内外を連通させる通気口３４となる箇所を除いて、吸音材３５が設けられている。より具体的には、吸込ボックス１２の前壁１４には、送風機５の吸込口１０への接続口１５と、各装着レール２４が設けられる箇所を除いて、吸音材３５が設けられている。また、吸込ボックス１２の左右および上下の壁面には、前記通気口３４となる箇所を除いて、吸音材３５が設けられている。さらに、吸込ボックス１２の後壁１９には、前記通気口３４となる箇所と、装着穴２２が設けられる箇所を除いて、吸音材３５が設けられている。この際、吸込ボックス１２の下部の点検蓋２１の内側（吸込ボックス１２側）にも吸音材３５が設けられ、また吸込ボックス１２の上部の蓋材３２の内側のスポンジ状パッキン３１は吸音材としても機能する。
【００３０】
送風機５の吸込口１０に送風機吸込口フィルタユニット１１を設けておけば、図４に示すように、左右および後方の通気口３４から外気が取り込まれ、その空気は必ずフィルタ板１３のフィルタ２９を介して、送風機５の吸込口１０へ吸い込まれる。吸込ボックス１２内に上下ジグザグ状にフィルタ板１３を設けておくことで、コンパクトでありながら必要なフィルタ面積を確保することができる。
【００３１】
また、ボイラ１を正面から見た状態で、吸込ボックス１２は、左右側面および後面にのみ通気口３４が設けられ、また吸込ボックス１２の内面には吸音材３５が設けられているので、ボイラ１の正面側に送風機５の音が漏れるのを防止することができる。さらに、吸込ボックス１２の上面を上板３３で塞いでおくことで、ボイラ１上部のメンテナンス時に足を置くこともできる。
【００３２】
また、フィルタ板１３は、吸込ボックス１２に差し込まれて着脱可能であるから、フィルタ板１３の交換が容易である。しかも、ボイラ１の後部に送風機吸込口フィルタユニット１１を配置すると共に、後方からフィルタ板１３を交換可能としたので、フィルタ板１３の交換が容易である。
【００３３】
本発明の送風機吸込口フィルタユニット１１は、前記実施例の構成に限らず適宜変更可能である。たとえば、吸込ボックス１２内に上下ジグザグに設けるフィルタ板１３の配置や個数は適宜に変更可能である。また、前記実施例では、連続山形に配置される複数の装着穴２２にそれぞれフィルタ板１３を差し込む構成としたが、連続山形に連続する装着穴２２を形成しておき、連続山形に連続する一枚のフィルタ板１３を着脱可能に設けてもよい。
【符号の説明】
【００３４】
１  ボイラ
５  送風機
１０  （送風機の）吸込口
１１  送風機吸込口フィルタユニット
１２  吸込ボックス
１３  フィルタ板
１４  （吸込ボックスの）前壁
１５  接続口
１９  （吸込ボックスの）後壁
２２  装着穴
２３  （上下の）装着レール
２４  （前方の）装着レール
３１  スポンジ状パッキン
３２  蓋材
３３  上板（吸込ボックス上面の板材）
３４  通気口
３５  吸音材
【図１】
2014005956.tif 000003
【図２】
2014005956.tif 000004
【図３】
2014005956.tif 000005
【図４】
2014005956.tif 000006
【図５】
2014005956.tif 000007